(57)【要約】【課題】核融合装置の発明である。  気体の核融合を考えると，燃料である重水素は価電子の軌道を変化させることで原子Ａと原子Ｂは原子核の引力に引かれて共に近づいて二つの原子は結合して，核融合といわれている状態が発生する。【解決手段】レーザー光線により高温を達成した。価電子の軌道を変化させるには外界から熱を加える。熱の本性は電子である。レーザー光線は人間が創造したエネルギーであり，自然には存在しない物である。レーザー光線の実体は電子である。レーザー光線は光のように分散しない。電子相互に働く引力が光線よりも強いのである。太陽コロナの温度は５００万度であり，この温度はレーザー光線においても造れることが分かった。また，（温度）×（瞬間の時間）が太陽コロナの温度（４００Ｗ）×（０．１秒間），（４０Ｗ）×（１秒間）に等しいことから，レーザー光線による核融合の実現も夢ではなくなった。【選択図】図１
2018189624.tif 000002
【特許請求の範囲】
【請求項１】
初に物が燃焼する理論について述べている。大昔の人が木と木をこすって摩擦熱で物が発火することから，物が燃焼する原因は電子であると推論した。
気体原子の価電子の軌道は原子核の中心から，もっとも離れた軌道にある。原子内の電子は価電子の引力に引かれて電子群を造っており，価電子の運動に従って波動性を持っている。
摩擦熱によって生じた電子が価電子に近ずくと電子群からは大量の電子が放出される。これが発火と燃焼の原因である。
太陽コロナの温度は５００万度であり，重水素ガスの核融合によるものである。
人工的に造れる温度で最高のものはレーザー光線の中であると考えた。
４ＫＷで造れると推論した。
レーザー式核融合装置を陶器で造ることを発明した。
【発明の詳細な説明】
【理論分野】
【０００１】  火の発見，火の発明，火の利用について
大昔の人々は冬は寒かった。それで火を利用することのありがたさを知った。火は木と木がこすれると火がついて燃え始めることを知った。
これを発見したのは狩猟に森に入っていた人々であったであろう。
それで木と木をこすって火を発明したのである。太古の昔にも発明家はいたのである。
火の利用は土器の発明へと発展していく。熔岩が冷めると固い岩へと変化する。土器によって人間の生活は向上して，人間の社会は進歩した。
火の利用は銅や鉄の発明へと進歩して，文明は進歩していった。
現代社会ではこの火というエネルギーを利用するために電気エネルギーを電線によって遠くまで送る方法に成功した。
現代人は道具の発明によって，エネルギー源である電気の発明を求めている。
電気は熱によって水を蒸発させて，その蒸気圧によって発電機を回して電気を発電している。
水を蒸発させるエネルギー源は石炭や石油である。
原子力発電もウラニウムやプルトニウムに中性子を照射して，これらの元素の原子核を崩壊させて，その時に発生する熱を水に吸収させて蒸気圧を利用して電気エネルギーを造っている。
核融合においても重水素が融合すると原子核を造っている核の周囲に存在する素粒子や電子が核が融合する瞬間に，二つの核が融合するために核の中心となっている大きな素粒子に突き飛ばされて外界へとエネルギーが放出される。
しかし，熱エネルギーの根源は電子であったのである。
熱エネルギーは燃料の元素と酸素原子との化合という物質の転化によってエネルギーが放出される。
化合は価電子がその常温での軌道から遷移して軌道が変化することを意味している。価電子が結合することではない。
ＡとＢの原子があって，この二つの原子が近づいて，その二つの原子の価電子が近づいて原子の中で価電子は変化した軌道を円周運動を続けている。
原子ＡとＢは近づいているが相互の原子核の引力によって原子核が結合することはない。原子の価電子の運動やその周辺の電子群が遠ざけているのである。
原子ＡとＢを近づけている力は原子ＡとＢの価電子の引力である。
価電子の質量はかなり大きく。引力もかなり強い。
価電子を原子核から遠ざけている力とは，価電子の軌道を，これはほぼ円周に近いが，運動することによって生じる遠心力である。
原子内の電子は価電子の引力に引かれて価電子の近くに存在する。
この電子は電子群を構成している。
電子群は核の引力にも引かれていて価電子に集合するわけではない。
価電子が近ずいてくるたびに電子群はその方向に集合する。
その周期は１０−１１Ｓである。
この数値は価電子の速度と円周軌道の一周の距離から求めたものである。
価電子の速度は気体原子の音速に等しいとした。
円周軌道の一周の距離は原子の大きさから求めた。
摩擦熱によって物が燃焼するということは，大昔の人が木と木をこすることで熱を発生させ，温度を上げ，近くに燃えやすい物を置き発火させる。
つまり，摩擦熱を点火の起点としていたことから分かるのである。
摩擦熱により点火する理由は，摩擦で発生した熱の電子を価電子の周囲に近づけて，価電子の軌道を変化させることで点火の価電子の状態を造って電子群から大量の電子を放射させて燃焼を継続させたのである。
【０００２】  気体の核融合を考えると，燃料である重水素は価電子の軌道を変化させることで原子Ａと原子Ｂは原子核の引力に引かれて共に近づいて二つの電子は結合して，核融合といわれている状態が発生する。
価電子の軌道を変化させるには外界から熱を加える，熱の本性は電子である。
二つの原子は何故融合しないかというと原子核を遠ざける物理状態が存在するからである。二つの原子を遠ざけている物の実体は電子である。
電子は何故原子核の周囲に密度の高い状態で存在するかというと，原子核の引力に引かれて原子核の近いところでは引力が強く働いて電子は濃い状態で存在するのである。
価電子は原子を一つの球と考えた時，価電子の軌道は球の表面に存在して価電子はこの軌道を運動している。
価電子が円周運動をすると遠心力が働いて価電子の軌道は拡大する方向に向かうが，原子核の引力に引かれて価電子は軌道の拡大を抑制される。
価電子の周囲には価電子の引力に引かれて価電子と共に運動する電子群が存在する。原子内に存在するこの電子群は価電子が近づいて来ると価電子の方向へ移動する。このために電子群は波動の状態を取ることになる。
原子の大きさを考える時，原子は立方体の中心に原子核を置く球と考える。立方体の一辺の大きさは０．３×１０−６ｃｍである。
この立方体の大きさは１モル１気圧の気体の体積は２２．４ｌであることから得られている。これをアボガドロ数で割れば気体原子１個の立方体の体積が求められる，そしてＶ＝ｌ３から立方体の１辺の長さが得られる。
原子において電子の存在密度は球の表面近くにおいて，もっとも薄くなっている。
気体においては電子の出入は周囲の気温の変化と共に原子の電子の出入は行われている。
気温とは大気の電子の存在状態を表している。
これを式で表したのが気体の状態方程式である。
2018189624.tif 000003
気体定数（Ｒ＝８．２×１０７ｅｒｇ）は気温を１℃上げるには約８．２ジュールの熱が必要であることを表している。
気温を上げていくとある温度以上ではｅＫＴで表わされる熱が発生する。この理論に関しては数学において解明している専門書も多い。この理論は難解であるので１０８℃という高温のエネルギー密度の状態は気体の状態方程式に従うとして外部からどれくらいの電気エネルギーを加える必要があるかを考えてみた。
１億度の２２．４ｌのエネルギーは８．２×１０８Ｗであるから，これは１ｃｃでは３．６６×１０４Ｗである。
これをレーザー式核融合装置のレーザー管の部分に照射しているレーザー光線のエネルギーから核融合が可能か否かを考えてみた。結論は可能である。
今，瞬間という時間について考えると，１億度１秒間のエネルギーは熱量×時間の積から，１億度０．１秒間の積は１千万度１秒間の積に等しい。
瞬間の時間という考えは０．１秒間以内に反応が完了していれば物理上の現象は達成されたと認められるのである。そうであるから，１億度において０．１秒の間に発生する現象は，時間は熱量×時間の積で考えられれば良いことになる。
核融合の条件，ローソン条件とは核融合を発生させるためには１億度を１秒間保つことである。
レーザー光線のエネルギーとして，４×１０４Ｗを１秒間保つことが可能である。
レーザー光線の太さは直径１ｍｍであり，レーザー管の長さは３ｍである。
レーザー管の長さが１ｍであれば，レーザー光線のエネルギーは３倍になる。
レーザー光線を気体中に流す時，レーザー光線のガスによるエネルギー吸収を問題にする必要がある。
レーザー光線による核融合の実験の成功は阪大のエネルギー研究所で行われた。直径１ｍｍのガラス小球にレーザー光線を照射して内部の重水素ガスに核融合を発生させたのである。
レーザー光線の流れる距離の体積を計算すると。
Ｖ＝πｒ２×ｌ（ｒ＝０．５ｍｍ，ｌ＝３ｍ），Ｖ＝２．２５ｃｍ３である。
レーザー光線の１秒間の照射エネルギーは，４×１０４Ｗであるから，１ｃｍ３あたり毎秒照射しているエネルギーは４×１０４Ｗ／２．２５ｃｃ≒１．７７×１０４Ｗ／ｃｃである。
ローソン条件における，１億度，１秒間の条件では１ｃｍ３あたり３．６６×１０４Ｗに保つことが必要である。
価電子の軌道の変化によって原子からは瞬間的にエネルギーが放射される。
原子核の近くでは高密度の電子群が存在して，価電子の軌道が原子核に近づいた時に瞬間的に高エネルギーが放射される。
【０００３】原子核の周囲には多くの素粒子が存在する。原子核からは崩壊に伴って多くの素粒子が放出される。
原子核において核を構成している素粒子でもっとも質量が大きく，丈夫な素粒子は中性子である。
原子核を構成している素粒子は質量の異なる多くの素粒子が存在して，原子核の周囲では質量の大きな素粒子の合成が行われている。
地球が創造されている初期の段階においては地球は火の玉であった。この段階において原子核が造られて各種の元素が造られていく。
各種の質量の素粒子は原子核の中で合成されていく確立が高い。その理由は原子核の中がもっとも素粒子の存在密度が高いからである。
原子の状態が気体，液体，固体に分かれたのは地球の歴史と共に始まっている。各種の元素は地球の創造期から別であったと考えた方が良いと考えられる。
地球の物質が存在するのは原子核内での素粒子の合成を想像した方が理論的に正しい。
自然現象としての核融合による物質の生成は発生する確立が低い。
自然現象としての地球の生命の始まりは植物ではクロレラ，動物ではアメーバをその出発点としている。太陽の光をエネルギー源としている。
元素を造っている物質は原子である。地球の表面をおおっている物質は軽い気体元素である。その下部に液体が存在し，固体がその下に存在するという構造を持つ地球が太陽系の一つの惑星として存在する。
2018189624.tif 000004
二つの原子ＡとＢを遠ざけている物は電子である。気体の状態で化合は二つの原子の価電子が近づいて価電子はその軌道を原子核に近い軌道に変化させる。
化合においては発熱反応と吸熱反応がある。
発熱反応とは化合した瞬間に原子からエネルギーが射出されることである。
吸熱反応とは化合する瞬間にエネルギーを吸収して瞬間的に二つの価電子はその軌道を変化させる。そして，化合は完了する。
素粒子の質量であるが最小の素粒子を電子とする。
電流の中には各種の質量の素粒子が存在する。レーザー光線の中は電子である。
レーザー光線を造る方法は電流をルビーの中に流してレーザー光線を射出させる。
レーザー光線の射出は，電流がルビーの中を流れる時，ルビーの中の電圧が臨界に達するまで電流は陽極と陰極の間を振動して流れている，ルビーの中の電流は互に衝突して小さな電子に変わっている，そして，プランクの式
2018189624.tif 000005
電子が１９個集まってもう一つの素粒子を造る。
素粒子の質量は１９ｎで表される。この素粒子の構造は電子は球であり，今，１９１の球は一つの球，電子から合成されていくと考えられる。
１９１の球は中心に一つの球を置き，これに接している６個の球を置く断面図が描ける。図を参考にして下さい。中心角は６０°である。
球の中心を結ぶ平面の断面図を考える時。球の中心を結ぶと三つの平面が存在する。  この平面には周囲に６個の球を配置できる。
三平面にそれぞれ６個の球であるから，合計１８個である。
１９１は１個の電子が１９個集まると，より大きな１個の球を造ることを表している。
１９１×１９＝１９２  これは１９１の１つの球が１９個集まると１９２という，より大きな球体状の球を造ることを表している。
１９２×１９＝１９３  これは１９２の１つの球が１９個集まると１９３という，より大きな球体状の球を造ることを表している。
１９１，１９２，１９３，−−−，の素粒子は球体状の球を造っている。
各素粒子は各種の大きさの粒子が球を造る時，その球自体のすき間は自の引力によって減少して，表面はなめらかになっていると考えられる。
１９ｎで表される素粒子は次数ｎが高くなると，その合成時において，１９１あるいは１９２の素粒子をそのすき間に含む，結果として１９ｎの素粒子は壊れやすくなる。  そうであるから，ｎ≫１，１９ｎで表される素粒子は合成が難しくなる。出来上る確立は低くなる
中性子の存在できる確立は，低いものであったと考えられる。
原子核の中心の近くでは比較的大きな素粒子も多数存在していると考えられる。そして１９１，１９２の素粒子も多数存在している。
核融合の時には１９１，１９２の素粒子は飛ばされて原子核の中心から遠い所に移ると考えられる。大きな素粒子も核の中心から移動する。
原子における価電子は，原子核の崩壊によって力の均衡が崩れて，その軌道は消滅する。価電子に引かれていた電子群も価電子の軌道の消滅に伴ってその波動性は消える。
価電子の運動が２つの原子を突き放す原因となっていたがその力も価電子の軌道の変化と伴に消え，２つの原子は原子核の引力によって近づくことになる。
核融合の条件とは外界からエネルギーを加えて価電子の軌道を大きく変えることにあった。
それは価電子の引力の効果による原子内の電子の運動を瞬間的に大きく変えていた。
原子内の力の均衡を崩された素粒子は瞬間的に無秩序な物となっていた。
これは２つの原子を近づける核の引力の存在を大きな物とした。
ローソン条件の１億度の条件は２２．４ｌのエネルギーは８．２×１０８Ｗであるから，１ｃｃでは３．６６×１０４Ｗである。
太陽コロナの重水素ガスが核融合を起こしているといわれる温度は５００×１０４度である。これは１億度の２０分の１である。１ｃｃでは（３．６６×１０４Ｗ）÷２０＝１．８３×１０３Ｗである。
レーザー光線では毎秒４ＫＷのエネルギーであるから，レーザー光線のエネルギーの方が高いのである。
しかし，レーザー光線のエネルギーはレーザー光線の照射しているエネルギーを考慮すると，１ｃｃあたり，４×１０３Ｗ／２．２５ｃｃ≒１．７７×１０３Ｗ／ｃｃである。
これはコロナの温度５×１０６度と比較すると０．０６×１０３Ｗ，つまり６０Ｗほど低い。
【０００４】  レーザー光線のエネルギー密度を４ＫＷにして，重水素ガスに核融合を発生させる。
ルビーを４０ＫＷにして，ローソン条件，１億度を１秒間保つこと，に苦心したが，このローソン条件を考えてみると，核融合を発生させることに用いている元素を重水素ガスよりも，もっと重い元素を用いていることもあると考えられる。
質量の重い元素では，例えば鉄においては，原子間の距離は気体よりもずっと短かく，原子核と価電子間の距離は固体においては気体よりもずっと短かくなっているのである。
これは固体の核融合と考えられ，地球の創造期において発生した自然現象であった。
つまり，固体においては二つの原子間のエネルギー密度は気体よりも，はるかに高くなっている。
核融合とは二つの原子を融合させること，つまり元素転換を意味している。
質量の重い元素の創造は地球の創造でもあった。地球の質量も関係しているのである。
核融合とは元素転換を発生させることであるから，超高温を長い時間，保つことが必要となる。
常温で存在していた鉄に瞬間的に超高温のエネルギーを照射しても何の変化も起こらない。
この場合には物理学では各種の元素の熱の伝導度が問題にされて，その測定値が提供される。
このように考えてくると，ローソン条件も再考慮する必要があることに気付くのである。
（１）レーザー光線を造る。
ルビーに電気エネルギーを供給する。
コンデンサーの電気容量を１０ｎＦ＝１０×１０−９×９．６×１０４クーロン。電圧を２０００Ｖ
2018189624.tif 000006
クーロン。１クーロンとは１Ａの電流が１秒間流れた時の電気量であるから，電気量１．９２クーロンは，１．９２Ａである。
2018189624.tif 000007
ＫＷ。Ｅ＝電流×電圧＝３．８４ＫＷ。求めていたルビーに加えるエネルギー４ＫＷに近い。ルビーの抵抗を１ＫΩとすると，ＲＩ＝ＶからＩ＝Ｖ／Ｒ＝２Ａの電流が流れる。２Ａ×２ＫＶ＝４ＫＷである。
しかし，このコンデンサーでは内部エネルギーとして消費される電気は１．９２ＫＷある。これを補うためにコンデンサーの電気容量を２倍にして，コンデンサーから供給する電気を２秒間にして，１秒間に換算すると３．８４ＫＷ×２秒＝７．６８ＫＷとした。
従って目的のコンデンサーは電気容量２０ｎＦ，電圧２０００Ｖ。
充電する電力は直流，２Ａ×２０００Ｖ＝４ＫＷ  ２秒間とした。
ルビーに供給する電力は２０ｎＦ，２ＫＶのコンデンサーから２秒間供給することにした。
コンデンサーそしてルビーは供給する電力が多いと焼けてしまうという不安があったからである。１秒間８ＫＷ以内。ルビーやコンデンサーに与える電力エネルギーは１秒間という瞬間に８ＫＷ以内であるから，コンデンサーの内部エネルギーも４ＫＷ以内であるから大丈夫であろうと考えた。
コンデンサーの規格が重視される。
（２）レーザー式の核融合装置において核融合が発生した場合，核融合は元素転換ではあるが，重水素の核融合が１００％発生したとは考えられないので，ルビーに対する電力供給を５秒間に１回ぐらいにして，装置の温度上昇や装置の避雷針で観測された電気エネルギーの発生状況から，核融合の発生状況を調べる必要があると考えられる。
（３）太陽のコロナは５×１０６度であり，重水素ガスの核融合によるものである。この温度は１億度の２０分の１である。
気体の状態方程式によると，１ｃｃでは１．８３×１０３Ｗである。
レーザー光線の照射しているエネルギーと比較すると１．７７×１０３Ｗであるから，太陽コロナよりも６０Ｗ低いことになる。
これはレーザー光線が毎秒４ＫＷのエネルギーを出している時と比較している。
太陽コロナの温度を考える時，レーザー光線において，４ＫＷの出力をコンデンサーから発生させることは無理であると結論された。
コンデンサーの規格では１０ｎＦ，２０００Ｖのコンデンサーでは４００Ｗと注意書きがあるという助言があった。
温度は瞬間の時間の摘用により１億度０．１秒間の熱は１千万度１秒間の熱量に等しいという結論を得た。
ここにおいても，レーザー光線の出力を，４ＫＷ，０．１秒間の出力は，４００Ｗ，１秒間の出力に等しいということを結論した。
そこでコンデンサーの電気容量を小さくして，１ｎＦ，２０００Ｖとして，もっと低い温度で核融合が可能か否かを考えた。
１ｎＦ，２０００Ｖのコンデンサーの出力。
１０−９×９．６×１０４Ｃ×２０００Ｖ＝９．６×１０−５×２０００＝１９．２×１０−２＝０．１９２Ｃ
電気量０．１９２クーロン，従って０．１９２Ａ
内部エネルギー  １／２×Ｑ・Ｖ＝１／２×０．１９２×２０００＝１９２Ｗ
Ｅ＝３８４Ｗ
ルビーの所の出力  ＲＩ＝Ｖ，Ｉ＝Ｖ／Ｒ１＝２０００／１ＫΩ＝２Ａ
２Ａ×２０００Ｖ＝４ＫＷ    ４ＫＷ×０．１秒間＝４００Ｗ×１秒間
コンデンサーの出力は３８４Ｗである。レーザー光線の目的として求められている出力は４００Ｗ×１秒間にほぼ近い３８４Ｗであり，レーザー光線４ＫＷ×０．１秒間という瞬間の時間の目的にかなう太陽コロナの熱のエネルギーとして，０．１秒間の間，核融合の条件として提供されることになる。
ローソン条件の１秒間保つという時間の条件は変更されることになる。
つまり，核融合は０．１秒間の間でも発生するという考えである。これは常識で考えても合点のいくところである。今はエネルギー密度と時間の積により，この点からも核融合の発生が明らかな事となったのである。
（４）コンデンサーが４００Ｗで使用されることが不安である。発火してしまうのである。これを防ぐためにコンデンサーを不燃性ガス（Ｎ２，Ｎｅなど）の中に入れる。そして冷却装置で冷やす方法が考えられる。
あるいは，別の方法として，コンデンサー１ｎＦ，１５００Ｖくらいにする。
つまり，電圧を下げる方法である。その他，鉄製のエアーバリコンもある。
核融合であるが気体の核融合においては重水素ガスは，太陽コロナの中で発生している。５００万度である。しかし，この温度は重水素ガスの核融合の条件ではなく。核融合によって放射されるエネルギーと考えられる。
重水素ガスの核融合の条件は１００万度と考えても良いのではないかと考えられる。
現在，工業的に得られる温度はたしか数十万度以下であったと考えられるからである。
▲１▼  １ｎＦ，１５００Ｖのコンデンサーについて。
Ｑ＝１０−９×９．６×１０４Ｃ×１５００Ｖ＝９．６×１０−５×１５００Ｃ＝９．６×１０−２×１．５Ｃ＝０．１４４Ｃ    従って０．１４４Ａ
2018189624.tif 000008
０．１４４×１５００＝ＲＩ２＝Ｒ×（０．１４４）２，Ｒ＝１５００／０．１４４＝１０４１６Ω
2018189624.tif 000009
▲イ▼  コンデンサーに充電するために一次側に直流を流して，二次側を１秒間ショートする。この時Ｓ１をＯＮにしておく。これで充電は完了している。
【０００５】  Ａ１はガス交換装置についている弁である。Ａ２はレーザー式核融合装置についている弁である。
始は核融合装置の中のガスは「空気」である。
真空ポンプの弁Ｂ２とＢ３を開にしてガス交換装置の中の「空気」を真空にする準備をする。
ガス交換装置の弁Ｂ１を開にする。
Ａ１とＡ２の弁も開にする。
2018189624.tif 000010
真空ポンプを起動させて核融合装置とガス交換装置の中を真空にする。
この時，真空ポンプの中に集められているタンクには「空気」というガスの種類を明らかにしておく。
▲２▼  重水素ガスのタンクから核融合装置の中へＨ２ガスを入れる。
このために弁Ｃ１と弁Ｃ２を開にしてホースの中も真空にしておく。
ホースＨ１，これは弁Ａ１と弁Ａ２をつないでいるホースである。ホースＨ２，ホースＨ３，これは弁Ｃ１と弁Ｃ２，弁Ｃ３をつないでいるホースである。
ホースの中を真空にしたら，Ｈ２ガスを核融合装置へ入れる。
その前にまず真空ポンプの弁Ｂ３，そして，弁Ｂ１と弁Ｂ２を閉にする。それからＨ２ガスを核融合装置の中へ入れる。弁Ａ１と弁Ａ２を開にする。弁Ｃ１と弁Ｃ２そして弁Ｃ３を開にする。
核融合装置の中へＨ２ガスを入れ終ったら，弁Ａ１，弁Ａ２を閉にする。
弁Ｃ１，弁Ｃ２，弁Ｃ３を閉にする。
この時，真空ポンプの中に集められているタンクには「Ｈ２ガス」というガスの種類を明らかにしておく。タンク交換中にホースＨ５中に「空気」が入ることも考えられる。従ってタンクには「Ｈ２ガス空気１０％含」としておく。
▲３▼  弁Ａ１を開，弁Ｃ１，弁Ｃ２を開，弁Ｂ１と弁Ｂ２，弁Ｂ３を開にする。真空ポンプを起動させて，ホースＨ１，ホースＨ２，ホースＨ３，ホースＨ４，ホースＨ５を真空にする。終ったら真空ポンプを停止する。
▲４▼  ガス交換装置の弁Ｄ１の操作を行う。空気を入れる。
弁Ａ１を開，弁Ｃ１，弁Ｃ２を開，弁Ｂ１と弁Ｂ２を開，弁Ｂ３を閉，それから弁Ｄ１を開にして，ホースＨ１，ホースＨ２，ホースＨ３，ホースＨ４，ホースＨ５の中にＤ１より空気を入れる。
空気を入れ終ったら弁Ｃ１，弁Ｃ２を閉，弁Ｂ１，弁Ｂ２，弁Ｂ３を閉にする。
弁Ａ１を閉にする。弁Ｄ１を閉にする。
これでホースＨ１は取りはずせる。ホースＨ２，Ｈ３，Ｈ４，Ｈ５もはずせる。
▲イ▼  ガス交換装置を介して核融合装置はガスの交換を行う。
核融合装置にロータリー式の弁Ａ２がついている。これに対応してガス交換装置にＡ１のロータリー式の弁がついている。ホースＨ１がＡ１とＡ２をつないでいる。
▲ロ▼  重水素ガス（Ｈ２ガス）を核融合装置に封入するためにガス交換装置を介して行っている。Ｃ１，Ｃ２，Ｃ３は弁である。Ｈ２，Ｈ３はホースである。
▲ハ▼  ガス交換装置の中を真空にすることに真空ポンプが使われる。
Ｂ１，Ｂ２，Ｂ３は弁である。Ｈ４，Ｈ５はホースである。核融合装置の中にＨ２ガスを封入する操作はＡ１，Ａ２の弁を開にして核融合装置の中を真空にする。
この時に難しい点は空気の問題である。
まず空気を取り除く。ガス交換装置，ホースＨ１，Ｈ２，Ｈ３，Ｈ４，Ｈ５。
このために弁Ａ１を開，弁Ｃ１，弁Ｃ２，弁Ｂ１，弁Ｂ２，弁Ｂ３を開にして空気を真空ポンプのタンクに集め，タンクに「空気」とする。
真空になったら真空ポンプのタンクを「Ｈ２ガス反応後」としたタンクに替える。
この時に注意する点は核融合装置の中のガスが空気か反応後かという点である。空気であれば，１ステップ前の操作，真空ポンプの空気の工程に戻って核融合装置の中を真空にしてから，次の工程を行う。
反応後であれば，弁Ｃ１，Ｃ２を閉，弁Ａ２を開にして，核融合装置のガスを真空ポンプのタンクに入れる。「Ｈ２ガス反応後」としておく。
▲ニ▼  核融合装置の中にＨ２ガスを入れる。弁Ｂ１，Ｂ２，Ｂ３を閉。弁Ｃ１，Ｃ２，Ｃ３を開にして，弁Ａ２と弁Ａ１を開にしてＨ２ガスを核融合装置の中に入れる。
▲ホ▼  操作を終了させる場合には▲１▼，▲２▼，▲３▼，▲４▼に従う。回答を与えると，
▲ニ▼  の続きの場合，Ｈ２ガスを核融合装置の中に入れ終ったら，弁Ｃ３を閉，弁Ａ２を閉にして，真空ポンプのタンクを「Ｈ２ガス」として真空ポンプを起動させるが，その前に弁Ｂ１，弁Ｂ２，弁Ｂ３を開にする。ガス交換装置が真空になったら，真空ポンプを止める。
それから，ホースＨ１，Ｈ２，Ｈ３，Ｈ４，Ｈ５の中に，弁Ｄ１を開にして，空気を入れる。
これで容易にホースははずせる。真空であるとホースをはずすことはできない。
空気を入れ終ったら，弁Ｃ１，弁Ｃ２を閉。弁Ｂ１，弁Ｂ２，弁Ｂ３を閉。弁Ａ１を閉。
弁Ｄ１を閉にする。
【図面の簡単な説明】
【０００６】
【図１】レーザー式核融合装置の全体図１．レーザー式核融合装置の全体図
直径３ｃｍ，長さ１ｍの円柱棒。
２．ガス出入口の場所はレーザー光線入射口より５ｃｍくらい離れた所。
３．避雷針の設置場所はレーザー光線入射口より９７ｃｍくらい離れた所。
４．レーザー光線の「通り道」は直径４ｍｍ，長さ９７ｃｍ。そして核融合装置の中心を通っている。
▲１▼  ガス出入口  核融合装置の上部に直径２ｃｍ，高さ２ｃｍの「盛り土」を作って，ガスの出入口に便利な金具を設置する工夫とした。
中心のホールは直径８ｍｍ，深さ２ｃｍである。
2018189624.tif 000011
下端は直径４ｍｍの曲面に合わせる。うまく中心を通る棒に接合させる。
４ｍｍの曲面はレーザー光線の通り道である。
これは石灰の棒で作る。この石灰の棒は成形後に棒の上端につけた絹の糸を引いて抜き取る。上端に∩型のビスをつけて，糸をつける。できた空間（直径８ｍｍ，長さ２ｃｍ）の所に「めねじ」を作る。
ピッチの高低は陶器であるから通常のピッチよりも大きくする。ピッチの幅も広くする。
このように石灰の棒を用いて空間を作っている。避雷針の入るホールも同じである。
直径８ｍｍ，長さ２ｃｍの空間と「めねじ」を作る。
レーザー光線の「通り道」も直径４ｍｍ，長さ９７ｃｍの石灰の棒を用いて空間を作る。
▲２▼  避雷針の設置場所
盛り土を▲１▼のガス出入口のように作る。成形後「めねじ」を作っておくが，焼成後，避雷針をこのホールに入れる。石灰の棒を入れて，避雷針の入るホールを作る。
2018189624.tif 000012
角柱にはアース線の配線を巻きつけておく。
避雷針の銅棒を「盛り土」の上端から「ねじ」の部分を回して，下まで進める。２ｍｍくらい「ねじ」を残しておく。これで避雷針の高さは調整されている。
2018189624.tif 000013
【図１】
2018189624.tif 000014